(57)【要約】【課題】書籍を形崩れなく良好に収納保管でき、外観も良く量産性にも秀れた画期的な書棚を提供する。【解決手段】棚枠体１に書籍Ａを左右方向に立て並べ状態で収納し得る書棚において、前記載置部２の上方であって前記棚枠体１の左右の垂直側壁部若しくは垂直仕切り壁部のいずれかの垂直壁部１Ａ間を書籍収納空間とし、前記載置部２は、単に前記垂直壁部１Ａ間に水平棚板を架設配設した構成とせず、載置部２は、底板部３Ａと側板部３Ｂとを直角に連設するＬ字状板材３を、底板部３Ａが側板部３Ｂに向けて下り傾斜する傾斜状態で前記棚枠体１の前記垂直壁部１Ａの内側に付設した構成として、前記書籍ＡをこのＬ字状板材３の傾斜底板部３Ａに載置すると共に傾斜側板部３Ｂ若しくはこの傾斜側板部３Ｂに支承した他の書籍Ａにもたれ支承させて左右方向に傾け並べ状態で収納し得るように構成した書棚。【選択図】図１
2007209695.tif 000002
【特許請求の範囲】
【請求項１】
棚枠体の内側に架設配設した載置部に書籍を載置して棚枠体に書籍を左右方向に立て並べ状態で収納し得る書棚において、前記載置部の上方であって前記棚枠体の左右の垂直側壁部若しくは垂直仕切り壁部のいずれかの垂直壁部間を書籍収納空間とし、前記載置部は、単に前記垂直壁部間に水平棚板を架設配設した構成とせず、載置部は、底板部と側板部とを直角に連設するＬ字状板材を、底板部が側板部に向けて下り傾斜する傾斜状態で前記棚枠体の前記垂直壁部の内側に付設した構成として、前記書籍をこのＬ字状板材の傾斜底板部に載置すると共に傾斜側板部若しくはこの傾斜側板部に支承した他の書籍にもたれ支承させて左右方向に傾け並べ状態で収納し得るように構成したことを特徴とする書棚。
【請求項２】
前記Ｌ字状板材は、書籍を収納し得る強度を有する金属製板材を直角に折り曲げて前記底板部と前記側板部とを一体形成した構成としたことを特徴とする請求項１記載の書棚。
【請求項３】
前記Ｌ字状板材の底板部側端部，側板部端部の少なくともいずれか一方側の端部に、前記棚枠体の垂直壁部の内側に当接固定する当接片部を設け、この当接片部を当接固定することで、前記Ｌ字状板材を前記底板部が側板部に向けて下り傾斜する傾斜状態で前記棚枠体の前記垂直壁部の内側に付設した構成としたことを特徴とする請求項１，２のいずれか１項に記載の書棚。
【請求項４】
前記Ｌ字状板材の端部を折曲して、この折曲端部を垂直壁部の内面に沿設配設して当接固定することで前記Ｌ字状板材の底板部が側板部に向けて下り傾斜するように構成してこの折曲端部を前記当接片部としたことを特徴とする請求項３記載の書棚。
【請求項５】
前記棚枠体は、前記Ｌ字状板材をこの棚枠体の左右の垂直壁部間にして上下方向に複数付設でき得る高さ形状にこの棚枠体の左右の垂直壁部を設定し、この棚枠体に少なくとも上下方向に複数の前記書籍収納空間を設けた構成としたことを特徴とする請求項１〜４のいずれか１項に記載の書棚。
【発明の詳細な説明】
【技術分野】
【０００１】
本発明は、雑誌や新聞，図書などの書籍の型崩れを防止しながら収納・保管できる書棚に関するものである。
【背景技術】
【０００２】
従来から、雑誌や新聞，図書などの書籍を左右方向に立て並べ状態で収納できる書棚が種々提案されている。これらは一般に、棚枠体の左右の垂直側壁部や垂直仕切り壁部などの垂直壁部間に水平棚板を架設した構成で、例えば、垂直壁部に書籍の表紙面若しくは裏面を対向状態にして、この書籍を水平棚板に垂直立直状態に載置配設することで、複数の書籍を左右方向に立て並べ状態で収納・保管できるものである。
【０００３】
ところで、このように書籍を長期間、垂直立直状態に立てた状態で収納・保管しておくと、書籍がその自重によって形崩れ（例えば、自重に耐え切れず書籍の下部が湾曲したり例えば、書籍の上部が下方に垂れ下がったりする。）が生ずる問題がある。
【０００４】
そこで、書籍を単に垂直立直状態に立てるのではなく、やや傾けた状態に立てて収納できるように構成した書棚が従来から提案されている。
【０００５】
これは、水平棚板と左右の垂直壁部との角度を直角に保持したまま水平棚板が左右いずれか一方の垂直壁部に向けて下り傾斜するように棚枠体を傾けた構成としたもので、この垂直よりやや傾いた壁部（垂直壁部）に書籍をもたれ支承させて、水平よりやや傾いた棚板（水平棚板）に書籍を載置配設することで、複数の書籍を左右方向に傾け並べ状態で収納できるように構成したものである。
【０００６】
このように、書籍を単に垂直立直状態に立て並べるのではなく、垂直よりやや傾いた壁部（垂直壁部）若しくはこの側板に支承した他の書籍に書籍をもたれ支承させて書籍を傾けた状態に傾け並べて収納する構成とした場合、書籍の自重が側方の壁部方向にも分散され、それだけ書籍の形崩れを阻止でき、しかも予め書籍が左右のいずれかにやや傾いた状態で立っているので、書籍が自然に横倒することも阻止できるなど、書籍を形崩れなく良好に収納できるものである。
【０００７】
しかし、この種の傾斜タイプの書棚は、例えば書棚の棚枠体の底板に適宜な支持部材を設けるなどして、書棚の棚枠体全体に傾きを付与した構成のため、傾斜タイプではない通常のタイプの書棚に比して傾斜分だけ余分に設置スペースが必要になりそれだけ無駄な設置スペースを生ずるという問題を有し、しかも、書棚の棚枠体全体が傾斜するため他の家具や建物支柱などに対してバランスが悪く非常に見た目が悪い（ビックリハウスのような見た目となってしまう）という外観上の問題をも有した。
【０００８】
そこで、書棚の棚枠体の棚板の板厚や、側部の壁部の板厚を変化させることで棚枠体の内側面だけを適宜な傾斜面とし、この書棚の外形状は、傾斜していない通常のタイプの書棚と同様に四角い箱状に構成した書棚が、従来から提案されている。
【０００９】
この板厚の変化により傾きを付与した傾斜タイプの書棚は、書棚の棚枠体の底部の棚板の板厚や側部の壁部の板厚の変化によりこの書棚の棚枠体の内側が傾斜しているだけで、外形状は通常の四角い箱状の書棚と同様で傾きのない形状とすることができる為、無駄な設置スペースが生ずる問題や、ビックリハウスのような見た目となる外観上の問題を阻止できるものの、単に平板状の板材を直角に組み付けて構成した板厚が一定な上記の傾斜タイプの書棚や通常のタイプの書棚に比して製造が非常に厄介で生産性に劣り、それだけ量産性を損ねたりコストアップの問題を有した。
【００１０】
尚、底板に垂直立直状態に側板を立設した所謂Ｌ字本立てに、支持脚などを設けて底板が側板に向けて下り傾斜するように傾きを付与して、書棚を傾け並べ状態に収納できるように構成した、傾斜タイプのＬ字本立ても従来から提案されている。この傾斜タイプのＬ字本立ては、上記の傾斜タイプの書棚に比して設置スペースの無駄が少なく、外観も上記の傾斜タイプの書棚の如くビックリハウスのような奇抜な印象を与えることがないものの、書籍の収納容量の少ないただの本立てに過ぎず、決して従来の傾斜タイプの書棚の上記問題点を良好に解決し得るものではない。
【発明の開示】
【発明が解決しようとする課題】
【００１１】
本発明は、上記の問題を解決したもので、書籍を左右方向に傾け並べ状態で収納でき、書籍の自重による形崩れを阻止でき良好に長期間収納でき、しかも棚枠体自体を傾斜させる構成としないから無駄な収納スペースを要したり外観を著しく損ねたりする問題も生ぜず、更に簡易な構成であくまでもこれまでの書棚と略同様な生産コストで簡易に設計実現可能な画期的な書棚を提供することを課題とする。
【課題を解決するための手段】
【００１２】
添付図面を参照して本発明の要旨を説明する。
【００１３】
棚枠体１の内側に架設配設した載置部２に書籍Ａを載置して棚枠体１に書籍Ａを左右方向に立て並べ状態で収納し得る書棚において、前記載置部２の上方であって前記棚枠体１の左右の垂直側壁部若しくは垂直仕切り壁部のいずれかの垂直壁部１Ａ間を書籍収納空間とし、前記載置部２は、単に前記垂直壁部１Ａ間に水平棚板を架設配設した構成とせず、載置部２は、底板部３Ａと側板部３Ｂとを直角に連設するＬ字状板材３を、底板部３Ａが側板部３Ｂに向けて下り傾斜する傾斜状態で前記棚枠体１の前記垂直壁部１Ａの内側に付設した構成として、前記書籍ＡをこのＬ字状板材３の傾斜底板部３Ａに載置すると共に傾斜側板部３Ｂ若しくはこの傾斜側板部３Ｂに支承した他の書籍Ａにもたれ支承させて左右方向に傾け並べ状態で収納し得るように構成したことを特徴とする書棚に係るものである。
【００１４】
また、前記Ｌ字状板材３は、書籍Ａを収納し得る強度を有する金属製板材を直角に折り曲げて前記底板部３Ａと前記側板部３Ｂとを一体形成した構成としたことを特徴とする請求項１記載の書棚に係るものである。
【００１５】
また、前記Ｌ字状板材３の底板部３Ａ側端部，側板部３Ｂ端部の少なくともいずれか一方側の端部に、前記棚枠体１の垂直壁部１Ａの内側に当接固定する当接片部４を設け、この当接片部４を当接固定することで、前記Ｌ字状板材３を前記底板部３Ａが側板部３Ｂに向けて下り傾斜する傾斜状態で前記棚枠体１の前記垂直壁部１Ａの内側に付設した構成としたことを特徴とする請求項１，２のいずれか１項に記載の書棚に係るものである。
【００１６】
また、前記Ｌ字状板材３の端部を折曲して、この折曲端部を垂直壁部１Ａの内面に沿設配設して当接固定することで前記Ｌ字状板材３の底板部３Ａが側板部３Ｂに向けて下り傾斜するように構成してこの折曲端部を前記当接片部４としたことを特徴とする請求項３記載の書棚に係るものである。
【００１７】
また、前記棚枠体１は、前記Ｌ字状板材３をこの棚枠体１の左右の垂直壁部１Ａ間にして上下方向に複数付設でき得る高さ形状にこの棚枠体１の左右の垂直壁部１Ａを設定し、この棚枠体１に少なくとも上下方向に複数の前記書籍収納空間を設けた構成としたことを特徴とする請求項１〜４のいずれか１項に記載の書棚に係るものである。
【発明の効果】
【００１８】
本発明は上述のように構成したから、棚枠体にＬ字状板材を、底板が側板方向に所定の下り傾斜状態となるように傾けた状態で付設するだけの簡単な作業で、例えば傾斜していないただの四角い箱状の棚枠体に、傾斜した載置部を形成することが可能で、それ故、この載置部に載置して収納した書籍を傾斜状態にして型崩れ無く良好に収納・保管できる秀れた載置部を有していながら、従来の傾斜タイプの書棚のような無駄な設置スペースを生ずる問題や、棚枠体全体が傾き見た目のバランスが悪いなどの外観上の問題など従来の問題点を解消でき、更に、載置部の形成が容易であるため、著しく生産コストアップとなる心配もなく、あくまで従来の通常の書棚と同様な生産コストで簡易に設計実現できるなど、実用性と量産性とを兼ね備えた極めて実用性に秀れた画期的で商品価値の高い書棚となる。
【００１９】
また、請求項２記載の発明においては、棚枠体に付設するＬ字状板材を、単に一枚板をＬ字状に折り曲げ形成して底板部と側板部とを一体形成した量産化を容易に計れる極めて生産性に秀れた構成としたから、それだけ一層量産性やコスト面に秀れた実用性の高い書棚となる。
【００２０】
また、請求項３，４記載の発明においては、Ｌ字状板材に設けた当接片部によってこのＬ字状板材の棚枠体への付設が一層簡単且つ確実となり、上記の秀れた書籍収納機能を確実に発揮できる載置部を一層簡単且つ確実に棚枠体に形成できる一層簡易設計実現可能で実用性に秀れた書棚となる。
【００２１】
また、請求項５記載の発明においては、棚枠体の上下方向にＬ字状板材を複数付設するだけで、棚枠体に載置部を上下多段に設けることができ、書籍を大量に収納・保管でき、生産性にも秀れた一層実用性に秀れた書棚となる。
【発明を実施するための最良の形態】
【００２２】
好適と考える本発明の実施形態（発明をどのように実施するか）を、図面に基づいて本発明の作用を示して簡単に説明する。
【００２３】
棚枠体１の内側に架設配設した載置部２の上方であって前記棚枠体１の左右の垂直壁部若しくは垂直仕切り壁部のいずれかの垂直壁部１Ａ間を書籍収納空間とし、この書籍収納空間の載置部２に書籍Ａを載置してこの棚枠体１に書籍Ａを左右方向に立て並べ状態で収納する。
【００２４】
ここで、前記載置部２は、単に棚枠体１の垂直壁部１Ａ間に水平棚板を架設した構成とせず、載置部２は、底板部３Ａと側板部３Ｂとを直角に連設するＬ字状板材３を、底板部３Ａが側板部３Ｂに向けて下り傾斜する傾斜状態で前記棚枠体１の前記垂直壁部１Ａの内側に付設した構成としている。
【００２５】
従って、この載置部２に書籍Ａを載置する際には、このＬ字状板材３の傾斜底板部３Ａに載置すると共に、傾斜側板部３Ｂ若しくはこの傾斜側板部３Ｂに支承した他の書籍Ａにもたれ支承させることで、左右方向に傾け並べ状態で収納する。
【００２６】
よって、傾けて立てた状態の前記書籍Ａが、傾斜底板部３Ａに載置支承されるだけでなく傾斜側板部３Ｂ側にもたれ支承され、雑誌Ａの自重が傾斜底板部３Ａ方向と傾斜側板部３Ｂ方向とに分散されるため、雑誌Ａの自重が底板３ａのみに掛かっていた今までのような書棚における書籍Ａの下端部の湾曲など、書籍Ａの型崩れの問題が解消されることとなる。
【００２７】
また、本発明は棚枠体１の内側にＬ字板材３を傾けた状態で付設する構成で、これまでのように棚枠体１全体を傾斜させる必要がなく、よって、棚枠体１の傾斜分だけ余分に無駄な設置スペースを生ずる問題や、見た目のバランスが悪くビックリハウスのような奇抜な印象を与えてしまうといった外観上の問題などの従来の問題点も解消されることとなる。
【００２８】
また、予め書籍Ａが傾斜側板部３Ｂにもたれ支承されるやや傾いた状態に立てて収納しているので、書棚Ａが左右に横倒したりする煩わしさもない。
【００２９】
しかも、本発明は、例えば単に四角形の箱形の棚枠体１に、単に板材をＬ字状に折り曲げ形成したＬ字状板材３を付設するだけで簡易に設計実現可能な秀れた生産性を有しており、それだけ例えば量産性を損ねたりコストアップの心配もなく、あくまで、これまでの一般的な書棚と同様な生産コストで生産できることとなる。
【００３０】
また、例えば、前記Ｌ字状板材３は、書籍Ａを収納し得る強度を有する金属製板材を直角に折り曲げて前記底板部３Ａと前記側板部３Ｂとを一体形成した構成とした場合には、Ｌ字状板材３は、例えば底板部３Ａと側板部３Ｂとを直角に溶接したり、接着固定して構成することもできるが、本発明のように単に一枚板をＬ字状に折り曲げて底板部３Ａと側板部３Ｂとを一体に形成した構成とすれば、一層簡易に生産できる一層量産性やコスト面において秀れたものとなる。
【００３１】
また、例えば、前記Ｌ字状板材３の底板部３Ａ側端部，側板部３Ｂ端部の少なくともいずれか一方側の端部に、前記棚枠体１の垂直壁部１Ａの内側に当接固定する当接片部４を設け、この当接片部４を当接固定することで、前記Ｌ字状板材３を前記底板部３Ａが側板部３Ｂに向けて下り傾斜する傾斜状態で前記棚枠体１の前記垂直壁部１Ａの内側に付設した構成とした場合には、このＬ字状板材３の当接片部４を例えば棚枠体の垂直壁部１Ａに当接してネジやビスなどの止着部材で止着固定したり、接着材によって接着固定するなどして、この棚枠体１の垂直壁部１ＡへのＬ字状板材３の付設を簡単且つ確実に行えることとなる。
【００３２】
特に、例えば、前記Ｌ字状板材３の端部を折曲して、この折曲端部を垂直壁部１Ａの内面に沿設配設して当接固定することで前記Ｌ字状板材３の底板部３Ａが側板部３Ｂに向けて下り傾斜するように構成してこの折曲端部を前記当接片部４とした構成とすれば、例えば一枚板をＬ字状に折り曲げ形成してＬ字状板材３を構成し、更にこのＬ字状板材３の端側を折り曲げ形成して当接片部４を構成すれば、ただの一枚板から、棚枠体１の垂直壁部１Ａに簡単且つ確実に付設でき本発明の上述の秀れた機能を確実に発揮し得るＬ字状板材３を、極めて簡易に効率良く生産でき、実用性と量産性とを兼ね備えた極めて秀れたものとなる。
【００３３】
また、例えば、前記棚枠体１は、前記Ｌ字状板材３をこの棚枠体１の左右の垂直壁部１Ａ間にして上下方向に複数付設でき得る高さ形状にこの棚枠体１の左右の垂直壁部１Ａを設定し、この棚枠体１に少なくとも上下方向に複数の前記書籍収納空間を設けた構成とした場合には、単に棚枠体１の左右の垂直壁部１Ａの高さを高く設定して、この棚枠体１に上下方向にＬ字状板材３を複数付設するだけで、棚枠体１に載置部２を多段に形成でき、書籍を大量に収納・保管できる棚枠体１の構成を簡易に実現できる一層実用性に秀れたものとなる。
【実施例】
【００３４】
本発明の具体的な実施例について図面に基づいて説明する。
【００３５】
本実施例は、棚枠体１の内側に架設配設した載置部２に書籍Ａを載置して棚枠体１に書籍Ａを左右方向に立て並べ状態で収納し得る書棚において、前記載置部２の上方であって前記棚枠体１の左右の垂直側壁部若しくは垂直仕切り壁部のいずれかの垂直壁部１Ａ間を書籍収納空間とし、前記載置部２は、単に前記垂直壁部１Ａ間に水平棚板を架設配設した構成とせず、載置部２は、底板部３Ａと側板部３Ｂとを直角に連設するＬ字状板材３を、底板部３Ａが側板部３Ｂに向けて下り傾斜する傾斜状態で前記棚枠体１の前記垂直壁部１Ａの内側に付設した構成として、前記書籍ＡをこのＬ字状板材３の傾斜底板部３Ａに載置すると共に傾斜側板部３Ｂ若しくはこの傾斜側板部３Ｂに支承した他の書籍Ａにもたれ支承させて左右方向に傾け並べ状態で収納し得るように構成したものである。
【００３６】
棚枠体１は、図１〜図３に図示したように、左右に一対の垂直側壁部（垂直壁部１Ａ）を立設し、この一対の垂直壁部１Ａ上に水平に天板部１Ｃを設け、この一対の垂直壁部１Ａ間にして下端側に水平に底板部１Ｂを架設状態に固定して、この水平な天板部１Ｃと底板部１Ｂとの間に垂直に垂直仕切り壁部（垂直壁部１Ａ）を立設し、背側（図１，図２中、奥側）に背板部１Ｄを設けた構成としている。
【００３７】
前記Ｌ字状板材３は、図１に図示したように、書籍Ａを収納し得る強度を有する金属製板材を直角に折り曲げて前記底板部３Ａと前記側板部３Ｂとを一体形成した構成としている。
【００３８】
また、この前記Ｌ字状板材３の底板部３Ａ側端部，側板部３Ｂ端部の両端部に夫々、前記棚枠体１の垂直壁部１Ａの内側に当接固定する当接片部４を設け、この当接片部４を当接固定することで、前記Ｌ字状板材３を前記底板部３Ａが側板部３Ｂに向けて下り傾斜する傾斜状態で前記棚枠体１の前記垂直壁部１Ａの内側に付設した構成としている。
【００３９】
具体的には、上記の通り一枚板をＬ字状に折り曲げ形成して構成したＬ字状板材の両端側を、更に図１に図示したように適宜な方向に折り曲げ形成して折曲端部を形成し、この折曲端部を垂直壁部１Ａの内面に沿設配設して当接固定することで前記Ｌ字状板材３の底板部３Ａが側板部３Ｂに向けて下り傾斜するように構成して、この折曲端部を前記当接片部４としている。
【００４０】
従って、このＬ字状板材３は、単に金属製板材を折り曲げることで底板部３Ａ，側板部３Ｂと更に両端側の当接片部４を形成した構成で、量産化が容易に図れる構成である。
【００４１】
尚、このＬ字状板材３の両端側の当接片部４は、例えば接着剤などで棚枠体１に接着固定する構成としても良いが、本実施例においては、このＬ字状板材３の着脱を容易とすべく、図１に図示したように、このＬ字状板材３の当接片部４に貫通孔５を設け、この当接片部４を棚枠体１の垂直壁部１Ａに当接し、図１及び図３に図示したように、この貫通孔５にビス若しくはネジなどの止着部材６を挿通して垂直壁部１Ａに螺着固定することでＬ字状板材３を棚枠体１の垂直壁面１Ａに着脱自在に螺着固定した構成としている。
【００４２】
従って、ビスやネジなどの止着部材６を着脱することで、簡単にＬ字状板材３を棚枠体１から着脱でき、例えば不必要なＬ字状板材３は取り外すなど使用者の好みに応じて適宜な位置に簡単にＬ字状板材３を着脱若しくは位置変更設定が可能である。
【００４３】
また、本実施例においては、前記棚枠体１は、前記Ｌ字状板材３をこの棚枠体１の左右の垂直壁部１Ａ間にして上下方向に複数付設でき得る高さ形状にこの棚枠体１の３体の垂直壁部１Ａ（左右一対の垂直側壁部と、一体の垂直仕切り壁部）を設定している。
【００４４】
従って、本実施例においては、図２に図示したように、この棚枠体１の垂直仕切り壁部を介して左右の空間に夫々、上下方向に二体のＬ字状板材３を設けて、載置部２を上下二段に四箇所設けた構成としている。
【００４５】
本実施例は、上述のように構成したから、載置部２に書籍Ａを載置する際には、図４に図示したように、Ｌ字状板材３の傾斜底板部３Ａに載置すると共に、傾斜側板部３Ｂ若しくはこの傾斜側板部３Ｂに支承した他の書籍Ａにもたれ支承させることで、左右方向に傾け並べ状態で収納できる。
【００４６】
よって、傾けて立てた状態の前記書籍Ａが、傾斜底板部３Ａに載置支承されるだけでなく傾斜側板部３Ｂ側にもたれ支承され、雑誌Ａの自重が傾斜底板部３Ａ方向と傾斜側板部３Ｂ方向とに分散されるため、雑誌Ａの自重が底板３ａのみに掛かっていた今までのような書棚における書籍Ａの下端部の湾曲など、書籍Ａの型崩れの問題は生じ得ない。
【００４７】
また、本実施例は棚枠体１の内側にＬ字板材３を傾けた状態で付設する構成で、これまでのように棚枠体１全体を傾斜させる必要がなく、よって、棚枠体１の傾斜分だけ余分に無駄な設置スペースを生ずる問題や、見た目のバランスが悪くビックリハウスのような奇抜な印象を与えてしまうといった外観上の問題などの従来の問題点も解消されることとなる。
【００４８】
また、予め書籍Ａが傾斜側板部３Ｂにもたれ支承されるやや傾いた状態に立てて収納しているので、書棚Ａが左右に横倒したりする煩わしさもない。
【００４９】
このように、本実施例は書籍を型崩れすることなく良好に収納・保管できることは勿論、Ｌ字状板材の配設位置や配設個数を棚枠体の大きさや形状に応じて適宜変更することができ、更に、Ｌ字状板材自体の幅や高さを適宜設定したり、Ｌ字状板材を上下に複数個配設する際に上下の取り付け間隔を適宜設定することで、載置部の書籍収納空間の空間サイズを自在に設定でき、どのような大きさの雑誌をどれだけの容量だけ収納・保存が可能な構成とするかを、使用目的や好みに応じて簡単に適宜設計実現できる極めて実用性に秀れたものである。
【００５０】
尚、図５および図６は、これまでに説明した本実施例の棚枠体１の別例を示している。
【００５１】
具体的に説明すると、図５及び図６に図示した棚枠体１は、垂直壁部１Ａとしての垂直仕切り壁部を有さず左右一対の垂直側壁部（垂直壁部１Ａ）と、天板部１Ｃ，背板部１Ｄとから成る構成としている。尚、仕切り壁部を有さないので、この仕切り壁部の底部を取り付ける底板部１Ｂも設けない構成としている。この図５及び図６に図示した別例では、上下方向４段に前記Ｌ字状板材３を取り付けできるように垂直壁部１Ａの高さ形状を設定して、上下４段の載置部２を前記棚枠体１に設けた構成としている。
【００５２】
尚、本発明は、本実施例に限られるものではなく、各構成要件の具体的構成は適宜設計し得るものである。
【図面の簡単な説明】
【００５３】
【図１】本実施例に係る書棚の説明分解斜視図である。
【図２】本実施例に係る書棚の説明斜視図である。
【図３】本実施例に係る書棚の説明平面図である。
【図４】本実施例に係る書棚の使用状態図である。
【図５】本実施例に係る書棚の別例を示す平面図である。
【図６】本実施例に係る書棚の別例を示す斜視図である。
【符号の説明】
【００５４】
１  棚枠体
１Ａ  垂直壁部
２  載置部
３  Ｌ字状板材
３Ａ  底板部
３Ｂ  側板部
４  当接片部
Ａ  書籍
【図１】
2007209695.tif 000003
【図２】
2007209695.tif 000004
【図３】
2007209695.tif 000005
【図４】
2007209695.tif 000006
【図５】
2007209695.tif 000007
【図６】
2007209695.tif 000008